(57)【要約】【課題】天気、温度、風向きや湿度等の自然条件に合わせて最適位置に設置できるように、移動容易な誘蛾灯装置を提供する。【解決手段】夜間に飛翔する蛾等の虫を誘引する誘蛾灯として、地面に対して垂直となるように配設された細長いブラックライト１４，１４が用いられた誘蛾灯装置であって、該誘蛾灯装置には、ブラックライト１４，１４の光りに誘われてきた虫を捕集する捕集液が貯留された捕集槽２６と、ブラックライト１４，１４の下方に捕集槽２６が載置し得る空間が形成されるように、ブラックライト１４，１４を垂下する架台とを具備し、前記架台として、足１０，１０，１０を折り畳んで運搬できる架台が用いられていることを特徴とする。【選択図】        図１
2005237310.tif 000002
【特許請求の範囲】
【請求項１】
夜間に飛翔する蛾等の虫を誘引する誘蛾灯として、地面に対して垂直となるように配設された細長い蛍光ランプが用いられた誘蛾灯装置であって、
該誘蛾灯装置には、前記蛍光ランプの光りに誘引されてきた虫を捕集する捕集液が貯留された捕集槽と、前記蛍光ランプの下方に前記捕集槽が載置し得る空間が形成されるように、前記蛍光ランプを垂下する架台とを具備し、
前記架台として、折り畳んで運搬できる架台が用いられていることを特徴とする誘蛾灯装置。
【請求項２】
蛍光ランプが、紫外線を放射するブラックライトである請求項１記載の誘蛾灯装置。
【請求項３】
架台が、先端部に設けられた板状部材に、一端部が折畳可能に装着された複数本の足の各他端が地面に当接して立設されたとき、蛍光ランプが装着される装着部材が前記板状部材から垂下されている架台である請求項１又は請求項２記載の誘蛾灯装置。
【請求項４】
蛍光ランプの点灯し消灯する時間を制御するタイマーが設けられている請求項１〜３のいずれか一項記載の誘蛾灯装置。
【請求項５】
蛍光ランプを点灯する電力が、太陽電池によって発電された電力を蓄電する蓄電池から送電される請求項１〜４のいずれか一項記載の誘蛾灯装置。
【請求項６】
太陽電池が、架台の先端部に設置されている太陽電池用パネルに配設されていると共に、蓄電池が、前記架台に設置された蛍光ランプの近傍に設けられている請求項５記載の誘蛾灯装置。                                                           
【発明の詳細な説明】
【技術分野】
【０００１】
本発明は誘蛾灯装置に関し、更に詳細には夜間に飛翔する蛾等の虫を誘蛾灯によって誘引して捕集する誘蛾灯装置に関する。
【背景技術】
【０００２】
果樹園や野菜畑では、果実や野菜等を害虫の食害から守ため、殺虫剤の散布が頻繁に行なわれている。かかる殺虫剤の散布は残留農薬の危険を完全に否定できない。
更に、近年の健康指向が高まりもあって、殺虫剤が散布されて残留農薬の懸念のある果実や野菜は嫌われつつある。
しかし、殺虫剤を散布しない場合には、果実や野菜が害虫の食害に晒され、食害された果実や野菜は著しく商品価値の低いものとなる。
一方、果実や野菜等の食害は、夜間に飛翔する蛾の幼虫に因るものが大半であるため、果実や野菜に産卵する蛾を退治することによって、殺虫剤の散布を可及的に減少できる。
この様に、夜間に飛翔し果実や野菜に産卵する蛾等の虫を退治する手段には、下記特許文献１に提案されている蛍光ランプを具備する誘蛾灯装置を好適に用いることができる。
【特許文献１】特開平８−１２６４５９号公報（図２）  かかる特許文献１に提案されている誘蛾灯装置は、図４に示す様に、捕集液１０１が貯留された水槽１００の底面に立設された支持部材１０２に、細長い蛍光ランプ１０４が水槽１００の底面に対して垂直に設けられている。  尚、この蛍光ランプ１０４は、その外周に設けられた保護ネット１０６によって保護されている。
【発明の開示】
【発明が解決しようとする課題】
【０００３】
図４に示す誘蛾灯装置では、蛍光ランプ１０４に誘引されて飛翔してきた蛾等は、立設されている蛍光ランプ１０４の周囲を旋回しつつ、次第に水槽１００の捕集液の液面方向に近づき、捕集液に接触して捕集される。
かかる誘蛾灯装置を用いることによって、果樹園や野菜畑等の殺虫剤の散布を可及的に減少できる。
図４に示す誘蛾灯装置を、果樹園や野菜畑等の害虫駆除用として用いる場合、水槽１００及び蛍光ランプ１０４が大型化し、その移動が困難となるため、一箇所に固定して用いることになる。
一方、誘蛾灯装置に飛翔する蛾等の種類や量は、設置された場所の天気、温度、風向きや湿度等の自然条件によって異なり、誘蛾灯装置の設置位置を移動して調整することが必用となる。
しかしながら、図４に示す誘蛾灯装置では、水槽１００、支持部材１０２及び蛍光ランプ１０４が一体に設けられており、水槽１００に貯留されている捕集液１０１を抜き出してから移動することを要する。このため、誘蛾灯装置の移動の都度、水槽１００からの捕集液１０１の抜出作業及び水槽１００への捕集液１０１の補充作業をしなければならず、水槽１００、支持部材１０２及び蛍光ランプ１０４が一体に設けられていることから、抜出作業及び補充作業も極めて面倒である。
従って、図４に示す誘蛾灯装置では、当初に設置した場所から移動しないて使用することが普通である。
そこで、本発明の課題は、天気、温度、風向きや湿度等の自然条件に合わせて最適位置に設置できるように、移動容易な誘蛾灯装置を提供することにある。
【課題を解決するための手段】
【０００４】
本発明者は、前記課題を解決すべく検討を重ねた結果、捕集液が貯留された捕集槽と蛍光ランプとを別体とし、蛍光ランプを垂下する架台を折り畳んで運搬可能とすることによって、誘蛾灯装置を容易に移動できることを見出し、本発明に到達した。
すなわち、本発明は、夜間に飛翔する蛾等の虫を誘引する誘蛾灯として、地面に対して垂直となるように配設された細長い蛍光ランプが用いられた誘蛾灯装置であって、該誘蛾灯装置には、前記蛍光ランプの光りに誘引されてきた虫を捕集する捕集液が貯留された捕集槽と、前記蛍光ランプの下方に前記捕集槽が載置し得る空間が形成されるように、前記蛍光ランプを垂下する架台とを具備し、前記架台として、折り畳んで運搬できる架台が用いられていることを特徴とする誘蛾灯装置にある。
【０００５】
かかる本発明において、蛍光ランプとして、紫外線を放射するブラックライトを用いることによって、蛾等の虫を誘蛾灯装置に誘引し易い。
また、架台としては、先端部に設けられた板状部材に一端部が折畳可能に装着された複数本の足の各他端が地面に当接して立設されたとき、蛍光ランプが装着される装着部材が前記板状部材から垂下される架台を用いることによって、架台を軽量化でき、容易に運搬できる。
更に、蛍光ランプの点灯し消灯する時間を制御するタイマーを設けることによって、蛾等の虫が行動する時間帯に蛍光ランプを点灯でき、省エネルギーを図ることができる。
かかる蛍光ランプを、太陽電池で発電された電力を蓄電する蓄電池から送電される電力で点灯することによって、近くの電源から誘蛾灯装置まで送電線を配設することを要せず、誘蛾灯装置を最適箇所に設置できる。
この太陽電池を、架台の先端部に設置されている太陽電池用パネルに配設すると共に、蓄電池を、前記架台に設置された蛍光ランプの近傍に設けることによって、送電線を新たに引き回すことなく誘蛾灯装置を最適箇所に更に容易に移動できる。
【発明の効果】
【０００６】
本発明に係る誘蛾灯装置によれば、架台から垂下されている細長い蛍光ランプに誘引された蛾等の虫は、蛍光ランプの回りを旋回しつつ、蛍光ランプの下方に形成された空間部に載置された捕集槽の方向に次第に移動し、捕集槽内の捕集液に接触して捕らえられる。
この様に、架台及び蛍光ランプと捕集槽とは別体に設けられているため、誘蛾灯装置を移動する際には、架台及び蛍光ランプと捕集槽とに分けて搬送できる。
このため、捕集槽の移動の際に、捕集液が貯留されている捕集槽が重い場合には、捕集槽から捕集液を容易に抜き出すことができ、移動した捕集槽に捕集液を容易に補充できる。更に、架台は、折り畳んで運搬できる架台であり、この架台も容易に運搬できる。
したがって、本発明に係る誘蛾灯装置は、その移動が容易であるため、天気、温度、風向きや湿度等の自然条件に合わせて最適位置に設置できる。
【発明を実施するための最良の形態】
【０００７】
本発明に係る誘蛾灯装置の一例を図１に示す。図１に示す誘蛾灯装置には、三本の足１０，１０，１０の各一端部が、先端部に設けられた板状部材１２に折畳可能に装着されている架台が用いられている。この三本の足１０，１０，１０の各々は、三角形状の各頂点に位置するように配設されている。
かかる架台は、三本の足１０，１０，１０の各他端が地面に当接して立設されたとき、板状部材１２から装着部材１６が垂下される。この装着部材１６の下端部と、足１０，１０，１０の中途部との間には、ワイヤ１８，１８，１８が張られており、風等に因る装着部材１６の振れを防止している。
かかる装着部材１６には、二本の蛍光ランプとしての細長いブラックライト１４，１４が装着されており、ブラックライト１４，１４が架台から垂下されている
【０００８】
このブラックライト１４，１４は、可視光線をカットする紫外線フィルターガラスを使用したガラス管内壁に、近紫外線放射蛍光体を塗布したランプであって、蛾等の虫が誘引され易い近紫外線（３００〜４５０ｎｍ）を放射するものである。
かかるブラックライト１４，１４は、装着部材１６に装着されたコンセント２０と電線２２，２２によって接続されている。このため、近くの電源から配設された送電線をコンセント２０に接続することによって、ブラックライト１４，１４は点灯可能である。
この様に、架台から垂下されたブラックライト１４，１４の下端と地面との間には空間部が形成され、この空間部には、台２８に載置された捕集槽２６が配設されている。この捕集槽２６内には、ブラックライト１４，１４の近紫外線に誘われてきた蛾等の虫を捕集する捕集液が貯留されている。捕集液は、石鹸水や油が混入された水でよく、水だけであってもよい。
ブラックライト１４，１４の下端と捕集液の水面との距離は、ブラックライト１４，１４を旋回しつつ降下する蛾等の虫が捕集液に接触して捕集され易い距離に調整することが好ましく、通常、１０〜５ｃｍ程度とすることが好ましい。
【０００９】
図１に示す誘蛾灯装置では、コンセント２０とブラックライト１４，１４との間に、タイマー２４が設置されており、ブラックライト１４，１４の点灯時間及び消灯時間を制御している。蛾等の虫の活動時間は、日没後数時間であるため、その活動時間に適合するようにブラックライト１４，１４を点灯することで足りるからである。
また、図１に示す誘蛾灯装置では、近くの電源から送電線を配設しているが、誘蛾灯装置を設置する果樹園や野菜畑は人家等から離れており、近くに電源がない場合もある。この場合、図２に示す誘蛾灯装置を用いることができる。
図２に示す誘蛾灯装置について、図１に示す誘蛾灯装置と同一部材は、図１と同一番号を付して詳細な説明を省略する。
図２に示す誘蛾灯装置では、ブラックライト１４，１４の電源として、架台の先端部に設けられた板状部材１２に設置された太陽電池用パネル３０に配設された太陽電池によって日中発電された電力を蓄電する蓄電池３２を用いる。この蓄電池３２は、捕集槽２６が載置されている台２８内に設けられており、蓄電池３２とコンセント２０とを送電線で接続することによってブラックライト１４，１４は点灯可能となる。このため、誘蛾灯装置から離れた電源から送電線を配設ことを要せず、果樹園や野菜畑の最適位置に誘蛾灯装置を設置できる。
【００１０】
図２に示す誘蛾灯装置では、太陽電池用パネル３０を回動可能に設けることによって、太陽の移動に伴って太陽電池用パネル３０を移動でき、太陽電池での発電を長時間可能とすることができる。
また、図１及び図２に示すブラックライト１４，１４は、防雨構造とすることによって雨天でも使用できる。
【００１１】
図１に示す誘蛾灯装置をりんご園に設け、主としてりんごの実を幼虫が食害するオオタバコガの成虫を捕虫することを試みた。オオタバコガの幼虫は、りんごの実内にいるため、殺虫剤では駆除できない。
図１に示す誘蛾灯装置のブラックライト１４，１４の各々に、２０Ｗのブラックライトを用い、ブラックライト１４，１４の点灯時間を日没から４時間とした。
翌日、捕集槽２６内に捕集されている虫の数及びオオタバコガの数を調査した。この調査は、平成１３年８月１２日、９月８日、１０月７日、１０月２２日及び１１月１７日に行ない、捕集槽２６内に捕集されている虫の数を下記表１に示すと共に、捕集されたオオタバコガの数を図３（ａ）に示す。
【表１】
2005237310.tif 000003
また、別のりんご園において、フェロモントラップによって捕集したオオタバコガの数を調査した結果を図３（ｂ）に示す。
【００１２】
図３（ａ）（ｂ）から明らかな様に、りんご園に飛来するオオタバコガの数の動向と、誘蛾灯装置によって捕集されたオオタバコガの数の動向とは良く一致しており、誘蛾灯装置を設置しておくことによって、りんご園に産卵のために飛来するオオタバコガを捕集できる。
事実、誘蛾灯装置を設置したりんご園では、誘蛾灯装置から半径１００ｍの範囲内では、この範囲を越える場所に植えられたりんごに比較して、オオタバコガの幼虫に因る被害を著しく軽減できた。
更に、オオタバコガ以外にも多種類の蛾等の虫が捕集されており、かかる虫によるりんごの被害を防ぐことができる。このため、りんご園に散布する殺虫剤量を著しく減少できる。
【図面の簡単な説明】
【００１３】
【図１】本発明に係る誘蛾灯装置の一例を説明する正面図である。
【図２】本発明に係る誘蛾灯装置の他の例を説明する正面図である。
【図３】りんご園に設置された図１に示す誘蛾灯装置で捕集されたオオタバコガの数を示すグラフ、及び他のりんご園におけるフェロモントラップによって捕集されたオオタバコガの数を示すグラフである。
【図４】従来の誘蛾灯装置を説明する断面図である。
【符号の説明】
【００１４】
１０  足
１２  板状部材
１４  ブラックライト
１６  装着部材
２０  コンセント
２２  電線
２４  タイマー
２６  捕集槽
２８  台
３０  太陽電池用パネル
３２  蓄電池                                                    
【図１】
2005237310.tif 000004
【図２】
2005237310.tif 000005
【図３】
2005237310.tif 000006
【図４】
2005237310.tif 000007